(57)【要約】【課題】シート束を２つ折りにして冊子を形成する際、シートにミシン目を付けると、ページが切り取られ易くなる等、冊子の耐久性を低下することがある。【解決手段】ミシン目オートを選択すると（Ｓ７；ＹＥＳ）、シート束枚数及び坪量の積等で、冊子が開き易く冊子の品質の低下の虞が高いか否かが判断される（Ｓ９、Ｓ１０）。上記積等により品質低下の虞が高い場合のみ（ＹＥＳ）、シートにミシン目を形成する（Ｓ１１）。【選択図】図７
2020032614.tif 000002
【特許請求の範囲】
【請求項１】
シートを搬送する搬送手段と、
シートの折り曲げ位置にミシン目を付けるミシン目形成手段と、
シートを重ね合わせてシート束を形成するシート束形成手段と、
シート束を折り曲げるシート束折り手段と、
前記シート束の枚数と前記シート束のシートの坪量とを取得する取得手段と、
前記シート束の枚数と前記坪量のうち少なくとも一方に基づいて、前記ミシン目形成手段の作動・非作動を選択する制御手段と、
を有することを特徴とする製本装置。
【請求項２】
前記制御手段は、前記シート束の枚数が所定値以上の場合、前記ミシン目形成手段によるシートへのミシン目の形成を実行することを特徴とする請求項１に記載の製本装置。
【請求項３】
前記制御手段は、前記シート束を形成するシートの坪量が所定値以上の場合、前記ミシン目形成手段によるシートへのミシン目の形成を実行することを特徴とする請求項１または２に記載の製本装置。
【請求項４】
前記制御手段は、前記シート束を形成するシートの枚数と該シートの坪量の積が所定値以上の場合、前記ミシン目形成手段によるシートへのミシン目の形成を実行することを特徴とする請求項１ないし３のいずれか１項に記載の製本装置。
【請求項５】
前記制御手段は、前記シートの枚数と前記シートの坪量の積が所定値以上の場合、該所定値以上の分のシートのみに、前記ミシン目を形成することを特徴とする請求項４に記載の製本装置。
【請求項６】
前記制御手段は、前記シートの枚数と前記シートの坪量の積が所定値以上の場合、前記シート束の折り曲げにより形成される冊子の内側若しくは外側、又は前記冊子の内側及び外側の両側から所定量のシートを除いた部分のシートに前記ミシン目を形成することを特徴とする請求項４に記載の製本装置。
【請求項７】
前記シート束形成手段で形成されたシート束のミシン目が形成された箇所をステープルで綴じる綴じ手段を有し、
前記シート束折り手段は、前記綴じ手段で綴じたシート束を折り曲げながら加圧することにより束折りすることを特徴とする請求項１ないし６のいずれか１項に記載の製本装置。
【発明の詳細な説明】
【技術分野】
【０００１】
本発明は、シート束を２つ折りにして冊子を形成する製本装置に関する。
【背景技術】
【０００２】
一般に、シート束の中央部を突き手段によって突き押しし、シート束を加圧ローラニップにくわえこませて２つ折りにする製本装置がある。通常、このような製本装置で作成された冊子は、背付近が湾曲を有する仕上がりとなり、冊子は開く傾向となり見栄えのしない外観となる。とくに、枚数の多いシート束や、厚紙によるシート束等の剛度の高い折り曲げにくいシート束であったり、低湿度環境下の水分の抜けた紙や、紙のスキ目と直角方向に折り曲げる場合においては、冊子が開く傾向が顕著となる。
【０００３】
従来、用紙の折れを容易化する加工を施しながら用紙を搬送するミシン目形成手段を備え、該加工を施した用紙を複数枚纏めて、加工が施された部位をステープルで綴じ、該綴じたシート束の加工が施された部位に沿って折り曲げ用工具を当てて用紙束を折り曲げる用紙綴じ装置が提案されている（特許文献１参照）。
【先行技術文献】
【特許文献】
【０００４】
【特許文献１】特開２０１２−６６８９９号公報
【発明の概要】
【発明が解決しようとする課題】
【０００５】
上記用紙綴じ装置は、用紙を搬送しつつ、ミシン目形成手段が用紙の搬送方向に平行となるようにミシン目を形成し、用紙回転装置により用紙を９０度回転し、用紙を揃えてミシン目部分をステープル綴じを行う。上記ミシン目形成手段は、ミシン目を形成する円盤状部材を用紙に接離自在に構成して、特定の用紙だけにミシン目を形成することが可能であるが、これは、最初のページと最後のページ以外にミシン目を形成する等のように、冊子となった状態でミシン目が目立たせないようにするためであって、シート束の折れ曲げ難さや、冊子の耐久性等に対応するものではない。
【０００６】
従って、折り曲がり易いシート束であっても、殆どのシートにミシン目を付ける傾向になり、冊子の端部からミシン目に沿ってページが切り取られ易く、冊子の耐久性を落してしまう問題が有った。また、切り取られなくても端部にミシン目の孔が来てしまうとこばが立ってしまい、見た目が良くなかった。
【０００７】
そこで、本発明は、作成した冊子が開いてしまう傾向を改善しつつ、不必要なミシン目をつけないことによって必要の無い品質の低下を低減した製本装置を提供することを目的とするものである。
【課題を解決するための手段】
【０００８】
本発明は、
シートを搬送する搬送手段と、シートの折り曲げ位置にミシン目を付けるミシン目形成手段と、シートを重ね合わせてシート束を形成するシート束形成手段と、シート束を折り曲げるシート束折り手段と、前記シート束の枚数と前記シート束のシートの坪量とを取得する取得手段と、前記シート束の枚数と前記坪量のうち少なくとも一方に基づいて、前記ミシン目形成手段の作動・非作動を選択する制御手段と、を有することを特徴とする。
【０００９】
好ましくは、前記制御手段は、前記シート束を形成するシートの枚数が所定枚数以上の場合、前記シート束を形成するシートの坪量が所定値以上の場合、又は、前記シート束を形成するシートの枚数と該シートの坪量の積が所定値以上の場合、前記ミシン目形成手段によるシートへのミシン目の形成を実行する。
【発明の効果】
【００１０】
本発明によると、枚数の少ないシートや、坪量の小さいコシの弱いシート等、折りが容易で冊子としての品質低下の可能性の少ない場合、ミシン目形成手段によるシートへのミシン目形成をしないで、ページが切り取られ易くなる等の冊子の耐久性を落とすことを低減できると共に、冊子が開き易く冊子として品質が低下する虞がある場合は、シート束を形成するシートにミシン目を形成して、シート束を正確、確実に２つ折りにして冊子の品質の低下を防止することができる。
【図面の簡単な説明】
【００１１】
【図１】本発明を適用した画像形成装置の全体を示す概略正面断面図。
【図２】（ａ）は、シート処理装置（製本装置）におけるシートが導入された状態を示す概略正面図。（ｂ）は、上記シート処理装置におけるシートにミシン目を形成する状態を示す概略正面図。
【図３】（ａ）は、上記シート処理装置におけるシートを束ねている状態を示す概略正面図。（ｂ）は、上記シート処理装置におけるシートを２つ折り位置に移動する状態を示す概略正面図。
【図４】（ａ）は、上記シート処理装置におけるシート束を２つ折りにする状態を示す概略正面図。（ｂ）は、上記シート処理装置における２つ折りした冊子を搬送する状態を示す概略正面図。
【図５】上記画像形成装置の制御ブロック図。
【図６】上記シート処理装置におけるミシン目形成装置を示す図１の矢印Ａ方向からみた平面図。
【図７】本発明の一実施形態を示すフロー図。
【図８】本発明の他の実施形態を示すフロー図。
【発明を実施するための形態】
【００１２】
以下、図面を参照して本発明の好適な実施形態を詳しく説明する。図１は、本発明に係るシート処理装置を備えた画像形成装置を示している。画像形成装置Ｕは、画像形成装置本体（複写機本体１）と製本装置を構成するシート処理装置２とを備える。
【００１３】
画像形成装置本体（複写機本体）１は、原稿載置台としてのプラテンガラス２１、光源Ｂ、レンズ系２２、給紙部１１、画像形成部１２，原稿をプラテンガラス２１に給送する原稿給送装置２３、複写機本体から排出される画像形成済みのシートをシート処理装置２に向けて排出する排出ローラ対１７等を備えている。
【００１４】
給紙部１１は、記録用のシートを収納して画像形成装置本体１に着脱自在なカセット１１ａ〜１１ｄを有している。画像形成部１２には、円筒状の感光ドラム２４とその回りの現像器２５等がそれぞれ備えられている。画像形成部１２の下流側には、定着装置１３、排出ローラ対１４等が配設されている。
【００１５】
画像形成装置本体１から給紙信号が出力されると、給紙部１１のカセット１１ａ〜１１ｄからシートが給送される。一方、原稿載置台２１に載置されている原稿に、光源Ｂから当てられて反射した光は、レンズ系２２を介して感光ドラム２４に照射される。該原稿載置台２１には原稿の枚数を検知する原稿枚数検知手段Ｎ及び原稿のサイズを検知する原稿サイズ検知手段がある。感光ドラム２４は、あらかじめ一次帯電器により帯電されていて、光が照射されることによって静電潜像が形成され、次いで現像器２５により静電潜像を現像してトナー像が形成される。
【００１６】
給紙部１１から給送されたシートは、レジストローラ２６で斜行が補正され、さらにタイミングが合わされて画像形成部１２へ送られ画像形成される。そして、画像形成されたシートは、定着装置１３によりシートに転写画像が永久定着される。画像が定着されたシートは、排出ローラ対１７により画像形成装置本体１から排出される。また、場合によってはフラッパー１８によって反転搬送ローラ対２０に送られ、反転させた後に排出ローラ対１７により画像形成装置本体１から排出される。
【００１７】
このようにして、給紙部１１から給送されたシートには、画像が形成されて本発明に係るシート処理装置（製本装置）２に排出される。
【００１８】
シート処理装置２は、上記画像形成装置本体１からの画像形成済シートが搬送される一連のガイド３０を有しており、該ガイド３０に沿って、上流側からミシン目形成装置（ミシン目形成手段）５５、シート束形成装置（シート束形成手段）４１、ステイプラ（綴じ手段）４２、シート束折り装置（シート束折り手段）７０、シートサイズにより位置を変更し得るストッパー４４が配置されている。また、上記ガイド３０から分岐されて、シートが１枚ずつ排出されるトレイ７１、シート束形成装置７２により形成されたシート束が排出されるトレイ７３及び上記シート束折り装置７０で形成された冊子が排出されるトレイ４９が配置されている。
【００１９】
画像形成装置本体１から排出されたシートＳは搬送ローラ３１〜３８によりシート処理装置２内部に搬送される。そして、図２（ａ）に示すように、センサ５０でシートＳの搬送方向先端が検知されると、挟持している搬送ローラ３８が減速して停止している斜行修正ローラ５１のニップにシート先端を突き当てる。搬送ローラ３８はさらに所定量搬送してループ空間５２においてシートＳがループを作成した状態で停止する。その後、斜行修正ローラ５１が回転してシートＳを挟持搬送することでシートＳの斜行が修正される。そして、図２（ｂ）に示すように、センサ５３がシートＳの搬送方向先端を検知して所定量搬送された位置で停止する。停止した位置においてシートＳはミシン目形成装置５５でミシン目付けされた後、シートＳの中央がステイプラ４２の綴じ位置にくるようにストッパー４４で位置決めされる。ミシン目形成装置５５の動作については後述する。
【００２０】
図３（ａ）に示すように、順次搬送されてくるシートはストッパー４４で位置決めされて、シート束形成装置４１により整合板で搬送方向に対して直角方向に整合され、搬送パス内部でシート束１０１が形成される。このとき、冊子の内側となるシートから順に搬送され、最後に冊子の表紙となるシートが折りローラ４５、４６側にくるように重ねられる。そして、シート束１０１はステイプラ４２によりシート束中央部を針綴じされる（場合によっては針綴じされなくてもよい）。次に、図３（ｂ）に示すように、シート束１０１の中央部（針綴じされた位置）がシート束折り装置７０の突き板４３の位置にくるようにストッパー４４が移動する。そして、図４（ａ）に示すように、シート束１０１は、突き板４３によって中央部を突かれることでループが作成されるとともに折りローラ４５、４６のニップで２つに折り曲げられ、加圧される。その後、図４（ｂ）に示すように、２つ折りにされたシート束１０１からなる冊子は、束搬送ローラ４７、４８で搬送され、排紙トレイ４９上に排紙される。
【００２１】
次に、本装置全体の制御を司る制御装置９５０の構成について、図５を参照しながら説明する。図５は図１における制御装置９５０の構成を示すブロック図である。
【００２２】
制御装置９５０は、図５に示すように、ＣＰＵ回路部９０５を有し、ＣＰＵ回路部９０５は、ＣＰＵ（図示せず）、ＲＯＭ９０６、ＲＡＭ９０７を内蔵し、ＲＯＭ９０６に格納されている制御プログラムにより原稿給送装置制御部９０１、イメージリーダ制御部９０２、画像信号制御部９０３、プリンタ制御部９０４、操作部１５及びシート処理装置制御部５０１を総括的に制御する。ＲＡＭ９０７は、制御データを一時的に保持し、また制御に伴う演算処理の作業領域として用いられる。原稿給送装置制御部９０１は、自動原稿給送装置２３をＣＰＵ回路部９０５からの指示に基づき駆動制御するが、この際原稿枚数検知手段Ｎにより原稿枚数が検出され、また原稿サイズ検知手段Ｍにより原稿サイズが検出される。イメージリーダ制御部９０２は、上述の光源、レンズ系２２などに対する駆動制御を行い、レンズ系２２から出力されたＲＧＢのアナログ画像信号を画像信号制御部９０３に転送する。
【００２３】
画像信号制御部９０３は、レンズ系２２からのＲＧＢのアナログ画像信号をデジタル信号に変換した後に各処理を施し、このデジタル信号をビデオ信号に変換してプリンタ制御部９０４に出力する。この画像信号制御部９０３による処理動作は、ＣＰＵ回路部９０５により制御される。
【００２４】
操作部１５は、画像形成に関する各種機能を設定するタッチパネル等の複数のキー、設定状態を示す情報を表示するための表示部などを有し、各キーの操作に対応するキー信号をＣＰＵ回路部９０５に出力するとともに、ＣＰＵ回路部９０５からの信号に基づき対応する情報を表示部に表示する。なお、該操作部１５には製本１５ａ及びシート坪量１５ｂを設定する操作部があり、製本１５ａは、製本割付けのあり、なし、表紙プリントのあり、なし、等の各種の製本仕様を設定し得、またシート坪量１５ｂは、テンキー等で画像形成するシートの坪量［ｇ／ｍ２］を直接入力するか、又はシートの種類を選択して坪量を対応させてもよい。なお、シート坪量は、上述した操作部１５ｂによるユーザによる設定に限らず、シートの光透過量を検出する等によりセンサにより検出してもよい。また、該操作部１５にはミシン目操作部１５ｃがあり、該ミシン目操作部１５ｃは、シートにミシン目を形成するか否か、更に形成する場合、ミシン目を自動で設定するオートを選択するか否かを設定し得る。
【００２５】
シート処理装置制御部５０１はシート処理装置２に搭載され、図示しない通信用ＩＣ（ＩＰＣ）を介してＣＰＵ回路部９０５と情報のやり取りを行うことによってシート処理装置全体の駆動制御を行う。シート処理装置制御部５０１はＣＰＵ６０１、ＲＯＭ６０２、ＲＡＭ６０３を有し、ＲＯＭ９０６に格納されている制御プログラムにより搬送ローラ駆動モータ、斜行修正ローラ駆動モータ、ミシン目形成装置駆動モータ６５等の各種アクチュエータやセンサ５０、５３等の各種センサを制御する。ＲＡＭ６０３は、制御データを一時的に保持し、また制御に伴う演算処理の作業領域として用いられ、シートのミシン目形成装置５５に対する位置やシート束内のシート順序等の値を一時的に保持する。
【００２６】
前記ＣＰＵ回路部９０５は、原稿枚数検知手段Ｎによる原稿枚数及び製本操作部１５ａの設定により、冊子となるシート束のシート枚数を判断し、またシート坪量操作部１５ｂからの信号によりシートの坪量を認識し、該信号をシート処理装置制御部５０１との間でやり取りする。
【００２７】
図６はミシン目形成装置５５を図１の矢印Ａ方向から見た平面図である。ミシン目形成装置５５は、外周にミシン目を形成するミシン目刃を有する円板５９を有し、該円板５９は、支持軸６１を中心に回転可能なようにアーム５７に取り付けられている。アーム５７は支持軸５８を中心に回動可能にスライド台５６に取り付けられている。また、アーム５７は引っ張りバネ６０によって円板５９のミシン目刃がミシン目付け台５４（図１参照）に押圧されるように支持軸５８を中心にして加圧されている。スライド台５６はスライド軸６７ａ、６７ｂに沿ってスライド可能に支持されている。スライド軸６７ａ、６７ｂは取り付け台６８ａ、６８ｂによってシート処理装置２の側板６９ａ、６９ｂに固定されている。スライド台５６は駆動ベルト６３に取り付け部材６２によって固定されている。駆動ベルト６３はアイドラプーリ６６の駆動プーリ６４との間に巻掛けられ、駆動モータ６５によって駆動され、円板５９のミシン目刃がミシン目付け台５４に対して押圧しながらシート処理装置２の手前側と奥側に往復スライド可能に構成されている。
【００２８】
次に、本発明にかかる特徴的な制御について、図７のフローチャートを用いて説明する。図７は、本発明の一実施形態である。
【００２９】
ユーザによって、使用するシートの坪量（Ｓ２）、冊子のサイズ（Ｓ３）が入力される。また、上述したように、原稿の枚数及び製本の仕様によりシート束のシート枚数が認識される（Ｓ１）。例えば、Ａ４サイズの２０枚の片面原稿から２つ折りＡ４サイズ両面の冊子を作る場合、Ａ３サイズの５枚の印刷シートと１枚の表紙、裏表紙からなる合計６枚のシート束となり、冊子の枚数としては、１２枚となる。
【００３０】
そして、画像形成装置本体１によりシートに印刷が実行される（Ｓ４）。この際、上述したように、ミシン目操作部１５ｃにより、シートにミシン目を形成するか否か、ミシン目を形成する場合、冊子が開き易く、冊子の品質が悪くなる場合のみ自動的にミシン目を形成するオートを選択するか否かが設定されており、またシート束を２つ折りするか否かも上記ミシン目操作部１５ｃにより予め設定されている。ステップＳ５において、２つ折りが選択されているか判断され、選択されていない場合、そのまま排紙される（Ｓ１３）。２つ折りが選択されている場合（Ｓ５；ＹＥＳ）、ステップＳ６に導かれる。ステップＳ６にあって、ミシン目操作部１５ｃにおいてミシン目を形成するか否かが判断され、ミシン目を形成しないことを選択した場合、折り作動に導かれ（Ｓ１２）、シート束折り装置７０によりミシン目のない状態でシート束は２つ折りにされる。ミシン目を付けると選択されている場合（Ｓ６；ＹＥＳ）、ミシン目オートが選択されているか否か判断される（Ｓ７）。
【００３１】
ステップＳ７にてオートが選択されている場合（ＹＥＳ）、シート束のシート枚数とシートの坪量の積にて、冊子が開き易く、冊子としての品質が悪くなるか否か判断される。まず、ステップＳ８において、シート束となるシートサイズが所定値以上のサイズか否か判断される。具体的には、シートサイズがＡ３以上か否か判断され、Ａ３以上の大サイズの場合（Ｓ８；ＹＥＳ）、シート束の枚数と坪量の積が６００以上か否か判断され（Ｓ９）、Ａ３未満の小サイズの場合（Ｓ８；ＮＯ）、シート束の枚数と坪量の積が７００以上か否か判断される（Ｓ１０）。ここで、シートサイズの大小により上記積の数値を変えたが、これは、小サイズシートの冊子が開き易い特性を考慮したためであり、シートサイズに拘りなく、上記積が所定値以上か否かで判断してもよい。
【００３２】
ステップＳ９で６００以上の場合（ＹＥＳ）、またステップＳ１０で７００以上の場合（ＹＥＳ）、ミシン目形成装置駆動モータ６５が駆動され、シートにミシン目が形成される（Ｓ１１）。即ち、上記積が所定値以上の場合、冊子が開き易く、冊子の品質が悪くなる可能性が高いので、シートにミシン目を付けて、正確かつ確実にシート束を２つ折りにして、冊子としての品質を向上する。上記ステップＳ９、Ｓ１０でＹＥＳの場合の外に、ステップＳ７でオートを選択しない場合も（ＮＯ）、ステップＳ１１に導かれ、ミシン目形成装置５５によるシートへのミシン目付けが実行される。そして、ステップＳ１１でミシン目を付けられた後、又は上記ステップＳ９で６００未満又はステップＳ１０で７００未満の場合（ＮＯ）、共にステップＳ１２に導かれシート束折り装置７０によりシート束の２つ折り作動が実行され（Ｓ１２）、更に排紙に導かれ（Ｓ１３）、ＪＯＢが終了する。即ち、上記積が所定値以下の場合、冊子は開き難く、冊子としての品質の低下よりもミシン目による冊子の耐久性及び見た目の低下が顕在化するため、ミシン目のない冊子の方がベターであるため、シートにミシン目を付けることなく、シート束は折り作動される。一例として、Ａ３サイズのシート束で冊子を作る場合、坪量が６８ｇ／ｍ２のシートでシート束が１１枚以上で冊子（冊子枚数２２枚）を作る場合、シートにミシン目が付けられる。
【００３３】
即ち、ミシン目形成装置５５でミシン目が形成されたシート（Ｓ９，Ｓ１０；ＹＥＳ）又はミシン目が形成されないシート（Ｓ９，Ｓ１０；ＮＯ）は、前述したように、シート束形成装置４１に送られ、シートが揃えられてシート束となる。ついで、該シート束の中央にステイプラ４２により綴じられ、更に該シート束は、シート束折り装置７０により２つ折りにされ、冊子となって排紙トレイ４９上に排出される。
【００３４】
ついで、図８に沿って、一部変更した実施の形態について説明する。なお、図７と同じステップ番号を付けたステップは、先の実施の形態と同じなので、異なるステップを中心に本実施の形態について説明する。ステップＳ９において、シートサイズがＡ３以上であってシート束の枚数とシートの坪量との積が６００以上の場合（ＹＥＳ）、又はステップＳ１０において、シートサイズがＡ３未満であって上記積が７００以上の場合（ＹＥＳ）、ステップＳ１５に導かれる。該ステップＳ１５において高品質モードが選択されている場合は（ＹＥＳ）、シート束の一部のみにミシン目を付け（Ｓ１７）、該高品質モードが選択されていない場合は（ＮＯ）、シート束の全部のシートにミシン目を付ける（Ｓ１６）。
【００３５】
上記シート束の一部にミシン目を付ける高品質モードは、上記枚数と坪量の積が上記６００又は７００を超えた分のシートだけにミシン目を付けるか、又はシート束の２つ折りに際して内側となる１０［％］を除くシートにミシン目を付ける、若しくは内側と外側とから１０［％］のシート以外のシートにミシン目を付ける等の各モードに予め設定されている。なお、該各高品質モードの設定は、製本操作部１５ａにおいてユーザが選択してもよく、また画像形成装置に応じて設定してもよい。上記積を超えたシートのみミシン目を付けることにより、冊子の耐久性を維持しつつ、冊子の開き易くなることによる冊子品質の低下を防止することができる。ユーザの目に付き易い内側及び外側のシートにミシン目を付けないことにより、冊子の品質をよくすることができ、かつ冊子を破れ難くすることができ、また内側のシートにミシン目を付けないことにより、ステープルで綴じた時の針による綴じ強度の低下を防止することができる。
【００３６】
なお、上述した実施の形態は、シート束のシート枚数とシート坪量の積によりシートにミシン目を形成するか否かを判断したが、これは、シート枚数及びシート坪量の少なくともいずれか一方でもよい。即ち、シート束の枚数が所定枚数以上の場合、及び／又はシートの坪量が所定値以上の場合、シートにミシン目を形成してもよい。また、冊子の内側又は／及び外側となるシート束の所定割合［％］のシートを除いたシートにミシン目を形成したが、これは、所定枚数でよく、要は所定量のシートを除いたシートにミシン目を形成すればよい。
【符号の説明】
【００３７】
２      製本装置（シート処理装置）
３０，３１〜３９      搬送手段（ガイド、搬送ローラ）
５５      ミシン目形成手段（装置）
４１      シート束形成手段（装置）
７０      シート束折り手段（装置）
９５０      制御手段（装置）
【図１】
2020032614.tif 000003
【図２】
2020032614.tif 000004
【図３】
2020032614.tif 000005
【図４】
2020032614.tif 000006
【図５】
2020032614.tif 000007
【図６】
2020032614.tif 000008
【図７】
2020032614.tif 000009
【図８】
2020032614.tif 000010